【事件の表示】
　特願２００５−３６８２０９「マネジメントボード及びそれを用いた障害情報取得方法」拒絶査定不服審判事件〔平成１９年　７月　５日出願公開、特開２００７−１７２２４３〕について、次のとおり審決する。
【結　論】
　本件審判の請求は、成り立たない。
【理　由】
１．手続きの経緯・本願発明
　本願は、平成１７年１２月２１日の出願であって、平成２１年１０月３０日付けで拒絶理由通知がなされ、同年１１月２６日付けで手続補正がなされたが、平成２２年１月２９日付けで拒絶査定がなされ、これに対し同年３月１日付けで審判請求がなされるとともに、同日付けで手続補正がなされたものである。そして、同年５月２１日付けで審査官から前置報告がなされ、平成２３年１月２８日付けで当審より審尋がなされたものである。
　
　そして、特許請求の範囲の請求項１に係る発明（以下「本願発明」という。）は、平成２２年３月１日付け手続補正書により補正された明細書、特許請求の範囲、及び図面の記載から見て、その特許請求の範囲の請求項１に記載された以下のとおりのものと認める。
　
「【請求項１】
運用中のシステムにおいて発生したイベント情報を表示するためのマネジメントボードであって、
　供給される電源を切断されても格納された情報が保持される記憶手段を有し、前記システムにおいて発生したイベント情報を収集し、収集されたイベント情報を前記記憶手段に格納し、前記マネジメントボードに前記システムから電源が供給されていない場合、当該マネジメントボード内に設けられたサブ電源から供給された電源を用いて、前記記憶手段に格納されたイベント情報を格納された順番で前記記憶手段から読み出して表示するマネジメントボード。」
　
２．引用文献
　原査定の拒絶の理由に引用された特開平１１−３３８７３９号公報（以下、「引用文献１」という。）には、図面とともに次の事項が記載されている。
　
（ア）「【０００２】
【従来の技術】先行技術の中には、進歩した高レベルの診断能力を備えた強力なホストコンピュータを使用して遠隔ソースから複数の複製装置の動作を監視するシステムが知られている。それらのシステムは、監視中の複製装置と遠隔から対話して自動的に生起した（またはユーザーが生起させた）診断要求を受け取り、要求している複製装置と対話して格納されたデータを受け取って、高レベルの診断解析を行う能力を備えている。…
　・・・（中略）・・・
【０００５】上記エキスパートシステムの１つの欠点は、複製装置が電源オフ状態にある場合に、遠隔地から機械の診断データをアクセスできないことが多いことである。もし複製装置の電源がオンにならなれければ、サービス技術者は解析および故障探究に役立つ重要な診断データをマシンメモリから検索することができない。…」
　
（イ）「【０００６】
【発明が解決しようとする課題】以上から、本発明の目的は、複製装置が電源オフ状態にあるときでも装置から診断データを提供する新規な改良されたユーザーインタフェースを提供することである。本発明のもう１つの目的は、装置が電源オフにされたときでも１つの制御ボードだけへ低電力モードで電力を供給することによってモデム能力を維持することである。装置の残りの部分の電源がオフされたときでも診断呼出しに応答するため必要な情報をもつように、必要な診断情報がこの制御ボードにロードされる。…
【０００７】
【課題を解決するための手段】本発明は、像形成装置が電源オフ状態にあるとき像形成装置の診断情報を遠隔ホストへ提供する方法に関する。像形成装置は、電源とモデムをもつユーザーインタフェース制御ボードを含む、幾つかの制御ボードを備えている。ユーザーインタフェース制御ボードは装置の動作中に適当なメモリに診断情報を収集する。ユーザーインタフェース制御ボードの電源は他の制御ボードに対し電力逐次開閉（パワー・シーケンス）制御を行い、かつ装置が電源オフ状態にあるときインタフェース制御ボードへの電力を維持する。インタフェース制御ボードは、装置が電源オフ状態にあるとき遠隔ホストへ診断データを送信する要求を認識し、その要求に応じてモデムを動作させ、診断データを遠隔ホストへ送信する。」
　
（ウ）「【０００９】図１は、複写機またはプリンタなどの典型的な装置３０の制御装置のブロック図である。装置３０は共通チャンネルすなわちバス９８に相互接続された複数の制御ボードによって制御される。説明の便宜上、５個の制御ボード、すなわちメモリ１１２をもつ制御ボード１０２、メモリ１１４をもつ制御ボード１０４、メモリ１１６をもつ制御ボード１０６、メモリ１１８をもつ制御ボード１０８、メモリ１１９をもつ制御ボード１１０を示す。制御ボード１０８はユーザーインタフェース３６のための制御装置であり、残りの制御ボードは装置３０の所定のシステムと構成部品を制御する。制御ボード１０８はさらに遠隔地と通信するためモデム１２０を備えており、他の制御ボードのためのマスタ制御装置である。
【００１０】制御ボード１０８は、本発明に従って、さらにモデム１２０を通じて電力源１２６に接続された別個の電源１２４を備えている。制御ボード１０８は他の制御ボード１０２，１０４，１０６，１１０に対する電源逐次開閉（パワー・シーケンス）制御を行う。制御ボード１０８はさらに制御ライン１２３を通じて主電力を装置に提供する変圧器１２７に接続された主電源リレー１２５に接続されている。制御ボード１０８と変圧器１２７を相互接続するライン１２９は、装置の電源がオフにされたとき、ユーザーインタフェースの電源がオンであることを保証する。すなわち、ユーザーインタフェース制御ボード１０８は電力源１２６とライン１２９へ相互接続されているので、主電源リレー１２５が装置の電源をオフにしても、制御ボード１０８の電源は常にオンである。従って、制御ボード１０８が電力源１２６に接続されていれば、装置３０の電源がオフのとき、装置３０と通信して、または呼び出して、メモリ１１８に格納された装置データを転送し、または読み出すことができる。装置３０の動作中、ユーザーインタフェース制御ボード１０８は他の制御ボード１０２，１０４，１０６から診断データを読み出す。診断データは、要求されたとき、または所定の装置イベントにおいて電話回線または他の適当な媒体を通じて遠隔地へ伝送するためにメモリ１１８に格納される。」
　
（エ）「【００１１】図２は、図１に示すような典型的な制御装置の制御要素のブロック図である。図示のように、ユーザーインタフェースのボタンの設定、アプリケーションソフトウェアの動作状態の変化、インターロックスイッチの開閉、制御またはシステム故障の通知、キールーチンの実行、等のような制御システムの正しい実行を定義する一定のキー装置動作イベント（現在イベントデータなど）は、それらが起きたときに、プロセッサ１９６の制御の下でアプリケーションシステムソフトウェア（ＡＰＰＳ）１５０によってダイナミックメモリ１５５に入力される。メモリ１５５（ＲＡＭであってもよい）はイベントデータを格納する所定のサイズの循環バッファ（図示せず）を備えているが好ましい。
【００１２】定期的に呼び出されるソフトウェア内のイベント・スプーリング・ルーチンの形をしたデータ転送手段は、メモリ１５５のバッファに蓄積されたイベントデータを、物理データしきい値ファイル１８５へ転送するためイベント・ロガーファイル１５８に書き込む。一般に、イベント・スプーリング・ルーチンは決められたサイクルで、すなわち現装置ピッチ数の後に繰り返される。イベント・スプーリング・ルーチンは、呼び出されると、イベント・ロガーファイル１５８に格納された前イベントデータの一部に現イベントデータを上書きして、イベントデータの最も古い前の部分を有効に消去し、より新しい現イベントデータで置き換える。
【００１３】各ソフトウェアクラッシュについて、クラッシュが起きる時に装置内のいくつかの所定イベント（クラッシュデータと呼ばれる）のスナップショットを取ることができる。それらのイベントは、たとえばＯＳメモリ１７３及びブートＲＯＭ１７９として示したオペレーティング・ソフトウェア（ＯＳ）メモリマップのそれぞれのインタフェースと、ＮＶＭ（不揮発性メモリ）１６７のイメージから成っていてもよい。ＲＡＭ１５５のバッファ内の現イベントデータのスナップショットが含まれていることが好ましい。得られたクラッシュデータのブロックは、クラッシュ・ロガーファイル１７１内のクラッシュファイル用に予約された多数のメモリ領域の１つにはめ込まれる。
　・・・（中略）・・・
【００１５】種々のセンサと検出器が装置動作状態を検出する。それらの状態は装置の動作サイクル中の離散的時間に読み取られ、イベント・ロガーファイル１５８および／またはクラッシュファイル１７１に格納されたデータは評価のため物理データファイル１８５に格納される。従って、装置３０の動作サイクル中に、ＥＳＶ、温度センサ、ジャム検出器、等のセンサが読み取られ、得られたデータはライン１７７を通じて装置物理データファイル１８５に入力される。そのほかに、診断、装置の監視、または装置の利用に関するその他の適当なデータは、サービス技術者が装置３０でアクセスするため、あるいは遠隔地へ伝送するため装置物理データファイル１８５または他の適当なメモリに適当に格納される。」
　
（オ）「【００１７】本発明に従って、ユーザーインタフェース制御ボード１０８は、たとえ、装置３０が電源オフ状態にあっても遠隔ホスト１５７へ送信するため、制御ボード１０２，１０４，１０６，１１０から受け取ったファイル１８５（たとえばイベントロガー１５８およびクラッシュファイル１７１）からの適当な診断データをメモリ１１８に格納する。電話回線１７５を通じて装置３０から遠隔ホスト１５７へ、そして遠隔ホスト１５７から装置３０へデータを伝送するための通信をモデム１２０と１２１間に確立する際に使用するため、コンピュータ（たとえばキーボード１８０、プリンタ１６２、および画面１６３をもつユーザーインタフェースを備えたパーソナルコンピュータ１５９）を遠隔ホスト１５７に設置することができる。制御ボード１０８の適当なデータ帯域幅コンバータ１８４は、電話回線を通じて伝送するために必要なクロック速度にデータを変換する。装置３０がデータを扱う速度は、通常、電話回線１７５のデータ伝送速度と異なり、一般にそれよりかなり大きいことは理解されるであろう。このために、コンバータ１８４にクロック１９５が接続されている。クロック１９５は、考えられる警報を送るために装置の状態を試験する頻度を決定するために使用される。同様なコンバータとクロック（図示せず）が遠隔ホスト１５７にも設置されている。
【００１８】図４に、本発明に従って、装置３０から遠隔ステーションへデータを伝送する手順を示す。詳しく述べると、ブロック２０２において、装置を電源オン状態にする。決められた時間間隔の後、ユーザーインタフェース制御ボード１０８は他の制御ボードたとえばボード１０２，１０４，１０６，１１０からデータを検索し、保存する。この時間間隔は１５分間として記載したが、本発明の範囲内で与えられた装置に対し任意の適当な時間遅れ、すなわち周期的サイクルが考えられることを理解されたい。従って、決定ブロック２０４において、適切な時間間隔が経過したか否か決定する。もし経過したならば、ブロック２０６に示すように、制御ボードからデータを検索する。
【００１９】次にブロック２０８に示すように、与えられた装置の動作中のある時点に、装置を電源オフ状態にする。装置が電源オフ状態にされたとき、電力源１２６に接続された電源１２４のために制御ボード１０８は依然として電源オン状態にあり、決定ブロック２１０に示すように、入ってくるデータ遠隔呼出しを受け取ることができる。ブロック２１２は、制御ボード１０８のメモリ１１８から起呼端末へのデータの伝送を示す。」
　
（カ）「【図４】」には、ブロック２０６に「ＮＶＭを検索し、保存する」ことが記載され、ブロック２１２に「ＮＶＭデータを呼出し者へ送信する」ことが記載されている。
　
　ここで、（イ）の段落【０００６】における記載「本発明の目的は、…装置から診断データを提供する新規な改良されたユーザーインタフェースを提供することである。」、（イ）の段落【０００７】における記載「像形成装置は、電源とモデムをもつユーザーインタフェース制御ボードを含む、幾つかの制御ボードを備えている。ユーザーインタフェース制御ボードは装置の動作中に適当なメモリに診断情報を収集する。」、及び（ウ）の段落【０００９】における記載「図１は、複写機またはプリンタなどの典型的な装置３０の制御装置のブロック図である。…　制御ボード１０８はユーザーインタフェース３６のための制御装置であり、」からすると、引用文献１には、動作中の複写機またはプリンタなどの像形成装置において発生した診断情報を提供するためのユーザーインタフェースのためのユーザーインタフェース制御ボードが記載されている。
　
　ここで、（エ）の段落【００１１】における記載「ユーザーインタフェースのボタンの設定、アプリケーションソフトウェアの動作状態の変化、インターロックスイッチの開閉、制御またはシステム故障の通知、キールーチンの実行、等のような制御システムの正しい実行を定義する一定のキー装置動作イベント（現在イベントデータなど）は、それらが起きたときに、プロセッサ１９６の制御の下でアプリケーションシステムソフトウェア（ＡＰＰＳ）１５０によってダイナミックメモリ１５５に入力される。」、（エ）の段落【００１２】における記載「定期的に呼び出されるソフトウェア内のイベント・スプーリング・ルーチンの形をしたデータ転送手段は、メモリ１５５のバッファに蓄積されたイベントデータを、…イベント・ロガーファイル１５８に書き込む。」、（エ）の段落【００１３】における記載「各ソフトウェアクラッシュについて、クラッシュが起きる時に装置内のいくつかの所定イベント（クラッシュデータと呼ばれる）のスナップショットを取ることができる。…得られたクラッシュデータのブロックは、クラッシュ・ロガーファイル１７１内のクラッシュファイル用に予約された多数のメモリ領域の１つにはめ込まれる。」、及び（エ）の段落【００１５】における記載「種々のセンサと検出器が装置動作状態を検出する。それらの状態は装置の動作サイクル中の離散的時間に読み取られ、イベント・ロガーファイル１５８および／またはクラッシュファイル１７１に格納されたデータは評価のため物理データファイル１８５に格納される。従って、装置３０の動作サイクル中に、ＥＳＶ、温度センサ、ジャム検出器、等のセンサが読み取られ、得られたデータはライン１７７を通じて装置物理データファイル１８５に入力される。そのほかに、診断、装置の監視、または装置の利用に関するその他の適当なデータは、サービス技術者が装置３０でアクセスするため、あるいは遠隔地へ伝送するため装置物理データファイル１８５または他の適当なメモリに適当に格納される。」からすると、前記診断情報は、装置内において発生したイベントデータ及び装置動作状態データ等からなる情報であると解される。
　そして、（ア）の段落【０００２】における記載「進歩した高レベルの診断能力を備えた強力なホストコンピュータを使用して遠隔ソースから複数の複製装置の動作を監視するシステムが知られている。それらのシステムは、監視中の複製装置と遠隔から対話して自動的に生起した（またはユーザーが生起させた）診断要求を受け取り、要求している複製装置と対話して格納されたデータを受け取って、高レベルの診断解析を行う能力を備えている。」、（ア）の段落【０００５】における記載「…サービス技術者は解析および故障探究に役立つ重要な診断データをマシンメモリから検索する…」、（イ）の段落【０００７】における記載「本発明は、…像形成装置の診断情報を遠隔ホストへ提供する方法に関する。」、及び（エ）の段落【００１５】における記載「そのほかに、診断、装置の監視、または装置の利用に関するその他の適当なデータは、サービス技術者が装置３０でアクセスするため、あるいは遠隔地へ伝送するため装置物理データファイル１８５または他の適当なメモリに適当に格納される。」からすると、前記インターフェースは、前記診断情報をサービス技術者または前記像形成装置の動作を監視する遠隔ホストに提供すると解される。
　
　（イ）の段落【０００７】における記載「ユーザーインタフェース制御ボードは装置の動作中に適当なメモリに診断情報を収集する。」、（ウ）の段落【０００９】における記載「メモリ１１８をもつ制御ボード１０８、…を示す。制御ボード１０８はユーザーインタフェース３６のための制御装置であり、…」、（ウ）の段落【００１０】における記載「装置３０の電源がオフのとき、装置３０と通信して、または呼び出して、メモリ１１８に格納された装置データを転送し、または読み出すことができる。装置３０の動作中、ユーザーインタフェース制御ボード１０８は他の制御ボード１０２，１０４，１０６から診断データを読み出す。診断データは、要求されたとき、または所定の装置イベントにおいて電話回線または他の適当な媒体を通じて遠隔地へ伝送するためにメモリ１１８に格納される。」、及び（オ）の段落【００１７】における記載「ユーザーインタフェース制御ボード１０８は、たとえ、装置３０が電源オフ状態にあっても遠隔ホスト１５７へ送信するため、制御ボード１０２，１０４，１０６，１１０から受け取ったファイル１８５（たとえばイベントロガー１５８およびクラッシュファイル１７１）からの適当な診断データをメモリ１１８に格納する。」からすると、前記ユーザーインタフェース制御ボードは、メモリを有し、前記像形成装置において発生した診断情報を収集し、収集された診断情報を前記メモリに格納すると解される。
　なお、（オ）の段落【００１９】における記載「ブロック２１２は、制御ボード１０８のメモリ１１８から起呼端末へのデータの伝送を示す。」、及び（カ）の「【図４】」に関する記載「「【図４】」には、…ブロック２１２に「ＮＶＭデータを呼出し者へ送信する」ことが記載されている。」からすると、前記メモリは、ＮＶＭ（すなわち、供給される電源を切断されても格納された情報が保持されるメモリ）であると解される。
　そして、（イ）の段落【０００６】における記載「本発明の目的は、複製装置が電源オフ状態にあるときでも装置から診断データを提供する新規な改良されたユーザーインタフェースを提供することである。」、及び（ウ）の段落【００１０】における記載「制御ボード１０８は、本発明に従って、さらにモデム１２０を通じて電力源１２６に接続された別個の電源１２４を備えている。…制御ボード１０８と変圧器１２７を相互接続するライン１２９は、装置の電源がオフにされたとき、ユーザーインタフェースの電源がオンであることを保証する。すなわち、ユーザーインタフェース制御ボード１０８は電力源１２６とライン１２９へ相互接続されているので、主電源リレー１２５が装置の電源をオフにしても、制御ボード１０８の電源は常にオンである。従って、制御ボード１０８が電力源１２６に接続されていれば、装置３０の電源がオフのとき、装置３０と通信して、または呼び出して、メモリ１１８に格納された装置データを転送し、または読み出すことができる。」からすると、前記ユーザーインタフェース制御ボードは、前記像形成装置が電源オフ状態の場合（すなわち、前記像形成装置から電源が供給されていない場合）、当該ユーザーインタフェース制御ボードの備える別個の電源から供給された電源を用いて、前記メモリに格納された診断情報を前記メモリから読み出して提供すると解される。
　
　よって、（ア）〜（カ）における記載及びその関連する図面からすると、引用文献１には、以下の発明（以下「引用発明１」という）が記載されていると認められる。
　
　動作中の複写機またはプリンタなどの像形成装置において発生した、イベントデータ及び装置動作状態データ等からなる診断情報をサービス技術者または前記像形成装置の動作を監視する遠隔ホストに提供するためのユーザーインタフェース制御のためのユーザーインタフェース制御ボードであって、
　供給される電源を切断されても格納された情報が保持されるメモリを有し、前記像形成装置において発生した診断情報を収集し、収集された診断情報を前記メモリに格納し、前記ユーザーインタフェース制御ボードに前記像形成装置から電源が供給されていない場合、当該ユーザーインタフェース制御ボードの備える別個の電源から供給された電源を用いて、前記メモリに格納された診断情報を前記メモリから読み出して提供するユーザーインタフェース制御ボード。
　
３．対比
　ここで、本願発明と引用発明１とを比較する。
　引用発明１の「動作中」、「複写機またはプリンタなどの像形成装置」、及び「ユーザーインタフェース制御ボード」は、それぞれ本願発明の「運用中」、「システム」、及び「マネジメントボード」に相当する。
　引用発明１の「診断情報」は、本願発明の「イベント情報」に相当する。
　引用発明１の「メモリ」及び「別個の電源」は、それぞれ本願発明の「記憶手段」及び「サブ電源」に相当する。
　
　引用発明１の「ユーザーインタフェース制御ボード」が「診断情報」を提供することと、本願発明の「マネジメントボード」が「イベント情報」を表示することとは、ともに、マネジメントボードがイベント情報を提供する点で共通する。
　引用発明１の「別個の電源」を「ユーザーインタフェース制御ボードの備える」ことと、本願発明の「サブ電源」が「マネジメントボード内に設けられ」ていることとは、ともに、サブ電源がマネジメントボードに備えられている点で共通する。
　
　以上から、本願発明と引用発明１とは、以下の点で一致し、また相違している。
　
（一致点）
　運用中のシステムにおいて発生したイベント情報を提供するためのマネジメントボードであって、
　供給される電源を切断されても格納された情報が保持される記憶手段を有し、前記システムにおいて発生したイベント情報を収集し、収集されたイベント情報を前記記憶手段に格納し、前記マネジメントボードに前記システムから電源が供給されていない場合、当該マネジメントボードに備えられたサブ電源から供給された電源を用いて、前記記憶手段に格納されたイベント情報を前記記憶手段から読み出して提供するマネジメントボード。
　
（相違点１）
　本願発明の「マネジメントボード」は「イベント情報」を表示するのに対して、引用発明１の「ユーザーインタフェース制御ボード」は、「診断情報」を提供する点。
　
（相違点２）
　本願発明の「マネジメントボード」は、記憶手段に格納されたイベント情報を格納された順番で前記記憶手段から読み出し表示するのに対して、引用発明１の「ユーザーインタフェース制御ボード」は、メモリに格納された診断情報を前記メモリから読み出して提供する点。
　
（相違点３）
　本願発明の「サブ電源」が「マネジメントボード内に設けられ」ているのに対して、引用発明１の「別個の電源」は「ユーザーインタフェース制御ボードの備える」点。
　
４．判断
　相違点１及び相違点２について判断する。
　動作中のシステムにおける診断情報をサービス技術者またはシステム動作を監視する者に提供するために、前記診断情報を表示することは、当業者にとって周知（以下、「周知技術」という）である。（例えば、原査定の拒絶の理由に引用された特開平７−２３９８０２号公報における記載「【０００５】…障害発生を認識すると、サービスプロセッサ（ＳＶＰ）１１は、診断対象機器１０から採取した障害情報をパネル表示装置インタフェース１４を介してパネル表示装置１５にパネル表示を行い、障害後の処理を開始する。」、及び特開平９−２８４８１１号公報における記載「【０００２】…従来、自己診断機能を備えた電子機器においては、故障診断の便宜等のために、例えば、機器に何らかの異常が発生したときにその異常の種別、種別毎の発生回数等をメモリ等に記憶しておき、記憶しておいたデータを適宜読み出して表示することによって、過去にどのような異常又は異常と思われる状態が発生したのか、どのような異常又は異常と思われる状態が最も多く発生しているのか等を調べることができるものが存在する。」等参照。）
　そして、情報を表示する際に格納順に表示することは、当業者にとって常套手段（以下、「常套手段」という）であることを勘案すれば、前記周知技術を引用発明１に適用することで、引用発明１の「ユーザーインタフェース制御ボード」が、「診断情報」を表示すること、及びメモリに格納された診断情報を格納された順番で前記メモリから読み出し表示するように構成することは、当業者であれば、容易に想到し得たことである。
　よって、相違点１及び相違点２は格別のものではない。
　
　相違点３について検討する。
　引用発明１の「ユーザーインタフェース制御ボード」は「別個の電源」を備えるものであり、実質的に「別個の電源」は「ユーザーインタフェース制御ボード」と一体のものであると解されるから、当該「別個の電源」を「ユーザーインタフェース制御ボード」内に備える（すなわち、設ける）ようにすることは、当業者であれば、適宜なし得たことである。
　よって、相違点３は格別のものではない。
　
　上記で検討したごとく、相違点１〜相違点３は格別のものではなく、そして、本願発明の構成によってもたらされる効果も、当業者であれば当然に予測可能なものに過ぎず格別なものとは認められない。 
　 
　したがって、本願発明は、引用文献１に記載された発明、前記周知技術、及び常套手段に基づいて、容易に発明できたものである。
　
５．請求人の主張について
　請求人は、平成２２年３月１日付けでなされた審判請求の請求の理由において、
「特開平１１−３３８７３９号公報（以下、引用文献１と称します）に記載されている像形成装置は、電源オフの場合に電源１２４を用いて動作するには、像形成装置の外部に接続された電力源１２６が必須の要素となります。つまり、例えば、一般的に使われている電源コンセントから供給されるＡＣ１００ＶやＤＣ電源のような電源が電力源１２６として必要となります。それらの電力源から像形成装置が切り離された場合、表示ができなくなってしまいます。 
 　一方、本願発明では、外部から供給されている電源が切り離された場合であっても、装置（マネジメントボード）内部に設けられたサブ電源からの電源供給により、表示が可能となるものです。なお、審査官殿は、「サブ電源（サブ電源部１０６）が電力源自体であるか否かは明記されていない。」と述べられていますが、図１に記載しているように、マネジメントボード１００が動作するための電源として、ＤＣ電源から供給されるものと、サブ電源部１０６から供給されるものとのどちらか一方を電源切り替え部１０７が選択することから、サブ電源部１０６が電力源自体であることは明確であります。」
と主張している。
　しかしながら、請求項１には、「前記マネジメントボードに前記システムから電源が供給されていない場合、当該マネジメントボード内に設けられたサブ電源から供給された電源を用いて」と記載されているに過ぎず、「サブ電源」が、電池のように、自力で電源を供給し得るものであるのか、引用文献１のように、外部の電力源（１２６）からの電源を供給するものも含むのか、限定するものでない。そして、引用文献１に記載の「電源」（１２４）は、システム本体の主電源リレーから電源が供給されていない場合に、制御ボードに電源を供給している点で、請求項１に記載の「サブ電源」と差違はない。
　なお、仮に、請求項１に記載の「サブ電源」が、自力で電源を供給し得るものであると限定的に解釈しても、外部から電源が供給されていないときに電源を供給するバックアップ電源を内部に設けることは周知（例えば、特開平９−２４８９５５号公報における記載「【０００７】…表示装置を有する電子機器において、主電源とは別に表示装置用電源を備えると共に、表示装置への電源を主電源から表示装置用電源に自動的に切り換える電源切り換え手段を備えたことを特徴とする。」、及び特開平７−３１９７９０号公報における記載「【００１２】…本発明のホスト通信インターフェースボードは、内部にバックアップ電源と電源異常検出部と電源切り替え部を有する。」等参照）であり、このような構成を引用発明１の「別個の電源」に適用するよう構成することに格別な困難性はない。
　したがって、上記主張は、採用することができない。
　
６．むすび
　以上のとおり、本願発明は、本願の特許出願前に日本国内又は外国において、頒布された刊行物に記載された発明又は電気通信回線を通じて公衆に利用可能となった発明に基いて、当業者が容易に発明をすることができたものであるから、特許法第２９条第２項の規定により特許を受けることができない。
　  
　よって、結論のとおり審決する。